(57)【要約】【課題】直接、指などで触れてしまうことなく、容易に従来の一般的なディスク再生・記録装置に対応することができるようにしたディスクケースを提供すること。【解決手段】切り込み部６Ａ、６Ｂを有するケース本体１と、ディスクＤの両側に着脱自在に係合したフォルダ３を用い、フォルダ３が係合した状態で、ケース本体１にディスクＤが収容できるようにしたもの。【選択図】  図１
2004185761.tif 000002
【特許請求の範囲】
【請求項１】
ディスクを保持するためのディスクセンタ凸部を備えたディスクケースにおいて、
前記ディスクケースの本体に切り込み部を設けると共に、
前記ディスクの両側に着脱自在に係合可能なフォルダを用い、
ディスクに前記フォルダが係合した状態で内部に収容できるように構成されていることを特徴とするディスクケース。
【請求項２】
請求項１に記載のディスクケースにおいて、
前記フォルダは、
長方形の本体板と、
この本体板の左右両端に夫々折り曲げ自在に結合された左右２個のＬ字形部材と、
これらＬ字形部材の前記本体板に結合された方の端部とは反対側に、夫々折り曲げ自在に弾性体で連結された横向き短冊状の部材と、
前記Ｌ字形部材の夫々に薄板状弾性体で各々連結された左右２個の摘みと、
これら摘みに、前記Ｌ字形部材が常時閉じられる方向の弾性力を付与するスプリング部材とを備え、
前記左右２個の摘みの操作により、前記左右２個のＬ字形部材が開閉動作し、前記横向き短冊状の部材折り曲げ移動により、ディスクの保持と取外しが行えるように構成されていることを特徴とするディスクケース。
【請求項３】
請求項２に記載のディスクケースにおいて、
前記切り込み部は、前記ディスクケースの本体の相対向する側端部の夫々に設けられ、
前記切り込み部に、前記Ｌ字形部材が入り込むようにして、前記ディスクフォルダが、前記ディスクケースの本体に着脱自在に備えられていることを特徴とするディスクケース。
【請求項４】
請求項２又は請求項３に記載のディスクケースにおいて、
前記Ｌ字状部材と前記短冊状の部材の少なくとも一方が、ディスクに当該フォルダが係合したとき前記ディスクに接触する部分に、緩衝層を施す加工と極く滑らかな面とするための加工の少なくとも一方の加工が施されていることを特徴とするディスクケース。
【発明の詳細な説明】
【０００１】
【発明の属する技術分野】
本発明は、コンパクトディスク及びデジタルバーサタイルディスクなどの光ディスク用のケースに係り、特にディスクフォルダを備えたディスクケースに関する。
【０００２】
【従来の技術】
ＣＤ（コンパクトディスク）やＤＶＤ（デジタルバーサタイルディスク）など、ディスク状（円板状）記録媒体のケースは、通常、ディスク固定用の円柱状の凸部を備え、この凸部にディスクの中心にある孔を嵌め込んで装着するようになっている。
【０００３】
このため、凸部の径寸法に誤差があって嵌め込みがきつくなると、ケースからディスクを取り出すのが困難になり、更には、取り出す際、ディスクに大きな力が加わって歪みが発生する虞れがあり、このため記録・再生時、ディスクの歪みが面ぶれとして現われ、記録・再生性能の低下につながる。
【０００４】
また、従来のケースは、ディスクを直接、手で持つようにしており、このためディスクの記録面に指紋や汚れなどの付着物が残る虞れがあり、このことも記録・再生性能の低下につながってしまう。
【０００５】
そこで、ディスクに直接、手を触れることなく、ディスクが容易に取り出せ、再生・記録性能が落ちないようにすることができるようにしたディスクカードリッジが、従来から知られている（例えば、特許文献１参照。）。
【０００６】
また、これとは別に、ケースの蓋に舌片を設け、これによりディスクをケース本体にある凸部から取り出すことができるようにしたケースも、従来から知られている（例えば、特許文献２参照。）。
【０００７】
更に、これら以外にも、ディスクを対になったアームで保持するようにしたトレイも、従来から知られている（例えば、特許文献３参照。）。
【０００８】
【特許文献１】
特開平８−２４９８５２号公報
【０００９】
【特許文献２】
特開昭６１−５２３６９号公報
【００１０】
【特許文献３】
実開昭６１−７２７８６号公報
【００１１】
【発明が解決しようとする課題】
上記従来技術は、指などがディスクに触れないようにする点に一応の配慮はされているが、以下の点に問題があった。
【００１２】
まず、上記ディスクカードリッジの場合、その中にディスクを収納した状態で信号の書込読取を行うための機構を再生・記録装置側に持たせる必要があり、既存のディスクプレーヤーには対応できないので、コストアップにつながる虞れがあり、且つ、ディスクをケースに戻すときには、指などが接触する虞れが残っている。
【００１３】
また、上記ディスクケースの場合、ディスクが舌片で挟まれるので、記録再生面に舌片が接触してしまうのが避けられず、ディスクの再生・記録性能の低下に問題がのこってしまう虞れがある。
【００１４】
更に、上記トレイの場合、ディスクを再生・記録装置にセットするときにはケースの蓋から手で外すこととなり、従って、ディスクの挿入に関しては支障及び影響を及ぼす虞れはないが、再生・記録装置からディスクをケースに戻すとき、直接手で触れることなく作業を行うのは極めて難しいものと思われる。
【００１５】
本発明の目的は、直接、指などで触れてしまうことなく、容易に従来の一般的なディスク再生・記録装置に対応することができるようにしたディスクケースを提供することにある。
【００１６】
【課題を解決するための手段】
上記目的は、ディスクを保持するためのディスクセンタ凸部を備えたディスクケースにおいて、前記ディスクケースの本体に切り込み部を設けると共に、前記ディスクの両側に着脱自在に係合可能なフォルダを用い、ディスクに前記フォルダが係合した状態で内部に収容できるようにして達成される。
【００１７】
このとき、前記フォルダは、長方形の本体板と、この本体板の左右両端に夫々折り曲げ自在に結合された左右２個のＬ字形部材と、これらＬ字形部材の前記本体板に結合された方の端部とは反対側に、夫々折り曲げ自在に弾性体で連結された横向き短冊状の部材と、前記Ｌ字形部材の夫々に薄板状弾性体で各々連結された左右２個の摘みと、これら摘みに、前記Ｌ字形部材が常時閉じられる方向の弾性力を付与するスプリング部材とを備え、前記左右２個の摘みの操作により、前記左右２個のＬ字形部材が開閉動作し、前記横向き短冊状の部材折り曲げ移動により、ディスクの保持と取外しが行えるようにしてもよい。
【００１８】
ここで、前記切り込み部は、前記ディスクケースの本体の相対向する側端部の夫々に設けられ、前記切り込み部に、前記Ｌ字形部材が入り込むようにして、前記ディスクフォルダが、前記ディスクケースの本体に着脱自在に備えられているようにしてもよい。
【００１９】
更に、ここで、前記Ｌ字状部材と前記短冊状の部材の少なくとも一方が、ディスクに当該フォルダが係合したとき前記ディスクに接触する部分に、緩衝層を施す加工と極く滑らかな面とするための加工の少なくとも一方の加工が施されているようにしてもよい。
【００２０】
【発明の実施の形態】
以下、本発明によるディスクケースについて、図示の実施の形態により詳細に説明する。
【００２１】
図１は、本発明の一実施形態で、まず、同図（ａ）において、１はケース本体（ディスクケースの本体）で、２はケースの蓋、３はフォルダ（ディスクフォルダ）、それに４はヒンジ部（蝶番部）であり、ここで、ＣＤやＤＶＤなどのディスクはＤで表わしてある。
【００２２】
そして、この図１（ａ）では、ケース本体１の中にディスクＤが収納され、蓋２がケース本体１からヒンジ部４で開かれていて、フォルダ３がディスクＤに係合されている状態が示されている。
【００２３】
次に、図１の（ｂ）には、フォルダ３が係合したままのディスクＤを、ケース本体１から取り外した状態が示されていて、このことから、この実施形態では、ディスクＤをケース本体１から外に出すとき、フォルダ３ごと取り出せるので、指や手がディスクＤに触れてしまう虞れがないことが判る。
【００２４】
また、この図１（ｂ）から、この実施形態でも、ケース本体１の中央にはディスクセンタ凸部５が設けてあることが判るが、ここでは、このディスクセンタ凸部５の外径寸法ｓを、ディスクＤの中心孔の径寸法ｒ（後述）より若干小さくしておき、これにより、ケース本体１からディスクＤを取り出すとき、ディスクセンタ凸部５にディスクＤが引っかからず、取り出し易くなるようにしてある。
【００２５】
更に、この図１（ｂ）から、この実施形態では、ケース本体１の両側端部に夫々切り込み部６Ａ、６Ｂ設けられていて、ここにフォルダ３の両端部が入り込めるようになっていることが判る。
【００２６】
そして、図１の（ｃ）には、更にディスクＤからフォルダ３を取り外した状態が示されていて、これにより、この実施形態では、ディスクＤに対するフォルダ３の係合が容易に解除できることが判る（詳細は後述）。
【００２７】
次に、フォルダ３の詳細について、図２により説明する。ここで、この図２の（ａ）は正面図で、同図（ｂ）は、ディスクＤに装着した状態のフォルダ３を真横から見た断面図である。
【００２８】
これらの図において、３０は本体板で、長方形の板材で作られ、その両端に、Ｌ字形部材３１、３２を、折り曲げ自在な結合部３３、３４により連結させたものである。ここで、これら本体板３０とＬ字形部材３１、３２、それに結合部３３、３４は同じ種類のプラスチック、例えばポリプロピレンなどのプラスチックで作ることができ、この場合は、結合部３３、３４も含めて一体成形することができる。
【００２９】
本体板３０の一方の面（図では上側になっている面）には、摘み（指で操作するための突起）３５、３６が、本体板３０の長手方向の中央から夫々左と右に離れた状態で、しかも、本体板３０の表面に沿って、図示の位置から夫々外側に移動可能な状態で保持させてある。
【００３０】
そして、これらの摘み３５、３６の間には、圧縮された状態でコイルスプリング３７が取付けてあり、これにより摘み３５、３６には、常時、相互に外側に離れる方向の力が与えられているように構成してある。
【００３１】
次に、３８、３９は夫々薄板状弾性体からなる連結板で、各々の一方の端部は夫々摘み３５、３６に固定され、他方の端部は夫々Ｌ字形部材３１、３２の表面に固定してある。
【００３２】
ここで、図２（ｂ）には、ディスクＤの下側に保持部材４０、４１が描かれているが、これらは横向き短冊状の部材で、板バネ部材４２、４３によりＬ字形部材３１、３２の、図では下側になっている端部に、夫々、取付けられている。
【００３３】
そして、このとき、この保持部材４０、４１は、板バネ部材４２、４３の弾性により、通常は図示の状態、つまり定常状態を保つと共に、図の下側から押されることにより上に折れ曲がれるように構成してある。
【００３４】
そして、この図２でははっきりとは示されていないが、本体板３０とＬ字形部材３１、３２、保持部材４０、４１、それに板バネ部材４２、４３のディスクＤが納められている空間内に面している部分と、保持部材４０、４１の全面には、ディスクＤに触れても傷が付く虞れがないように、フェルトなどの緩衝層を貼付ける加工や、極く滑らかな面とするための加工などが施されている。
【００３５】
次に、この実施形態によるフォルダ３の使用方法について説明する。ここで、ディスクＤにフォルダ３が係合されているときは、図３（ａ）に示すようになっていて（図２（ｂ）と同じ）、ディスクＤは、板バネ部材４２、４３の弾性により定常状態に復帰している保持部材４０、４１により保持されている。
【００３６】
そこで、いま、ディスクＤをフォルダ３から開放するときは、図３（ａ）に示す状態において、まず、摘み３５、３６の双方に夫々指をかけ、図３（ｂ）の矢印▲１▼に示すように、これらを内側に引くようにして力を加えるのである。
【００３７】
そうすると、これらの摘み３５、３６は、コイルスプリング３７の反発力に抗して矢印▲１▼方向に動かされ、これらに繋がれている連結板３８、３９が引っ張られる。そこで、Ｌ字形部材３１、３２が結合部３３、３４で折れ曲がり、矢印▲２▼で示すように、開く方向に回動し、この結果、矢印▲３▼で示すように、ディスクＤが開放されることになる。
【００３８】
従って、このフォルダ３によれば、摘み３５、３６に指を掛け、それらを動かすだけの簡単な操作により、ディスクＤには全く触れることなく、容易にディスクＤを開放することができる。
【００３９】
次に、図４により、フォルダ３に保持されているディスクＤを、一般的な再生・記録装置にセット（装着、装填）させるときの動作について説明すると、このときは、まず、図４（ａ）に示すように、フォルダ３に保持されているディスクＤを用意する。
【００４０】
次いで、フォルダ３にディスクＤを保持させたまま、図４（ｂ）に示すように、再生・記録装置ＰのディスクトレイＴにディスクＤを載置し、この後、上記の図３（ｂ）で説明した動作を行なって、フォルダ３からディスクＤを開放させる。
【００４１】
これにより、図４（ｃ）に示すように、ディスクＤをディスクトレイＴに載置させたままで、フォルダ３を取外すことができる。
【００４２】
従って、この実施形態によれば、ディスクＤに直接、指などを触れさせることなく、再生・記録装置に容易にディスクをセットすることができる。
【００４３】
次に、ディスクＤをフォルダ３に装着するときの動作について、図５により説明する。ここで、この図５もフォルダ３を真横から見た断面図であり、この場合は、まず、図５（ａ）に示すように、ディスクＤをほぼ平に保持した上で、これに対して、矢印▲４▼で示すように、フォルダ３を上から押し付けるようにする。
【００４４】
そうすると、保持部材４０、４１がディスクＤで押され、板バネ部材４２、４３の弾力に抗して、矢印▲５▼で示すように、内側に倒れる方向に移動され、これによりディスクＤが内部に入り込むようになる。
【００４５】
そして、図５（ｂ）に示すように、ディスクＤが奥まで入ったところで、倒れていた保持部材４０、４１が、板バネ部材４２、４３の弾性により、矢印▲６▼で示すように、元の位置に戻り、図３（ａ）に示すように、ディスクＤがフォルダ３に保持された状態になる。
【００４６】
従って、このときも、ディスクＤに直接、指などを触れさせることなく、フォルダ３に容易にディスクを装着させることができ、更に、図４で説明したようにして、一般的な再生・記録装置のディスクトレイＴに装着させてあるディスクＤを、ディスクトレイＴから取り外すこともできる。
【００４７】
そこで、次に、このときの動作について説明すると、この場合は、図５において、ディスクＤが再生・記録装置のディスクトレイＴの上に載置されていることになるだけである。
【００４８】
従って、図６に示すように、フォルダ３を、矢印▲４▼で示すように、上からディスクＤにかぶせてやり、保持部材４０、４１が図示の状態に戻った後、フォルダ３を引き上げ、ディスクトレイＴから外してやれば、フォルダ３と一緒にディスクＤを取り出すことができ、この場合も、ディスクＤに直接、指などが触れてしまう虞れはない。
【００４９】
このとき、一般的な再生・記録装置の場合、図４（ｃ）に示されているように、ディスクトレイＴの幅は、その両側からディスクＤが寸法ｗづつはみ出すように作られている。
【００５０】
従って、図６の状態になったとき、この寸法ｗが有ることにより、保持部材４０、４１の先がディスクトレイＴに届かないようにしながら、確実にディスクＤを係合保持させることができる。
【００５１】
ところで、図５（ｂ）に示すように、フォルダ３内の深さをＨ、保持部材４０、４１の寸法をＬとし、ディスクＤの厚さをｔとすると、これらについて、
Ｈ≧Ｌ＋ｔ
の関係が成立するようにしておけば、保持部材４０、４１の動きが妨げられる虞れはない。
【００５２】
ここで、上記した一般的な再生・記録装置以外の再生・記録装置の場合、上記実施形態に係るフォルダ３を用いたのでは、ディスクＤの装着、取外しができないことがある。
【００５３】
しかして、このような場合には、ディスクケース本体１にディスクＤを残したままで、図１に示すようにして、フォルダ３をディスクＤから取り外してやれば良く、この場合は、従来のディスクケースのときと同じ扱い方ができるので、使用者が戸惑うことがない。
【００５４】
【発明の効果】
本発明によれば、直接、指などで触れてしまうことなく、容易に既存のディスク再生・記録装置に対応することができる。
【００５５】
また、本発明によれば、フォルダがディスクケースに具備できるので、フォルダの管理が容易になり、紛失などの虞れがない。
【図面の簡単な説明】
【図１】本発明によるディスクケースの一実施形態を示す説明図である。
【図２】本発明の一実施形態におけるフォルダの説明図である。
【図３】本発明の一実施形態におけるフォルダの動作説明図である。
【図４】本発明の一実施形態におけるフォルダの使用状況の説明図である。
【図５】本発明の一実施形態におけるフォルダによりディスクを装着するときの動作の説明図である。
【図６】本発明の一実施形態におけるフォルダをディスクと再生・記録装置のトレイを含めて示した断面図である。
【符号の説明】
１  ケース本体（ディスクケースの本体）
２  蓋（ケースの蓋）
３  フォルダ
４  ヒンジ部
５  ディスクセンタ凸部
６Ａ、６Ｂ  切り込み部
３０  本体板（フォルダの本体板）
３１、３２  Ｌ字形部材
３３、３４  結合部（折り曲げ自在な結合部）
３５、３６  摘み（指で操作するための突起）
３７  コイルスプリング（圧縮された状態のスプリング）
３８、３９  連結板（薄板状弾性体からなる連結板）
４０、４１  保持部材（短冊状の部材）
４２、４３  板バネ部材
Ｄ  ディスク
Ｐ  再生・記録装置
Ｔ  ディスクトレイ（再生・記録装置のディスクトレイ）
【図１】
2004185761.tif 000003
【図２】
2004185761.tif 000004
【図３】
2004185761.tif 000005
【図４】
2004185761.tif 000006
【図５】
2004185761.tif 000007
【図６】
2004185761.tif 000008